(57)【要約】  複数の記録層を備えた情報記録媒体に記録用のレーザ光を照射することによって情報を記録するための情報記録装置であって、複数の記録層のうち、情報を記録する予定の一の記録層（Ｌ１層）に対して好適であるレーザ光の好適照射状態（Ｌｗ２）を、複数の記録層のうち他の記録層（Ｌ０層）における記録状態別に設定する設定手段と、該設定された好適照射状態でレーザ光を一の記録層（Ｌ１層）に対して照射する照射手段とを備える。
2005031718.tif 000002
【特許請求の範囲】
【請求項１】
複数の記録層を備えた情報記録媒体に記録用のレーザ光を照射することによって情報を記録するための情報記録装置であって、
前記複数の記録層のうち、前記情報を記録する予定の一の記録層に対して好適である前記レーザ光の好適照射状態を、前記複数の記録層のうち他の記録層における記録状態別に設定する設定手段と、
該設定された好適照射状態で前記レーザ光を前記一の記録層に対して照射する照射手段と
を備えたことを特徴とする情報記録装置。
【請求項２】
前記設定手段は、前記好適照射状態として、前記一の記録層に対して好適である前記レーザ光のパルス幅、パルス強度、パルス形状及び記録ストラテジのうち少なくとも一つを、設定することを特徴とする請求の範囲第１項に記載の情報記録装置。
【請求項３】
前記記録状態別として、前記他の記録層が未記録であるか又は記録済みであるかの別を判別する判別手段を更に備えており、
前記設定手段は、前記判別手段による判別結果に応じて、前記好適照射状態を設定することを特徴とする請求の範囲第１項に記載の情報記録装置。
【請求項４】
前記判別手段は、前記一の記録層に前記情報が記録されるのに先立って、前記他の記録層における記録領域をまとめて走査することで、所定の領域単位毎に、前記他の記録層が未記録であるか又は記録済みであるかの別を判別することを特徴とする請求の範囲第３項に記載の情報記録装置。
【請求項５】
前記判別手段は、前記他の記録層における記録領域について所定の領域単位毎に、前記他の記録層が未記録であるか又は記録済みであるかの別を示すテーブル情報を参照することで、前記他の記録層が未記録であるか又は記録済みであるかの別を前記所定の領域単位毎に判別することを特徴とする請求の範囲第３項に記載の情報記録装置。
【請求項６】
前記複数の記録層の少なくとも一つは、前記好適照射状態を、前記他の記録層における記録状態別に規定する好適照射状態情報が記録される管理情報領域を有し、
前記管理情報領域から前記好適照射状態情報を読み込む第１読込手段を更に備えており、
前記設定手段は、前記読込まれた好適照射状態情報に基づいて、前記好適照射状態を設定することを特徴とする請求の範囲第１項に記載の情報記録装置。
【請求項７】
前記他の記録層が未記録である未記録領域と前記他の記録層が記録済みである記録済領域との夫々で、試し書き用データを前記一の記録層に試し書きするように前記照射手段を制御する試し書き制御手段と、
前記試し書きが行われた未記録領域及び記録済み領域における前記一の記録層から、前記試し書き用データを読み込む第２読込手段と
を更に備えており、
前記設定手段は、前記読み込まれた試し書き用データに基づいて、前記好適照射状態を設定することを特徴とする請求の範囲第１項に記載の情報記録装置。
【請求項８】
前記設定手段により設定された前記好適照射状態を示す好適照射状態情報を格納する第１記憶手段を更に備えたことを特徴とする請求の範囲第７項に記載の情報記録装置。
【請求項９】
前記複数の記録層の少なくとも一つは、前記好適照射状態を、前記他の記録層が未記録である場合及び記録済みである場合のうち一方の場合のみについて規定する好適照射状態情報が記録される管理情報領域を有し、
前記管理情報領域から前記好適照射状態情報を読み込む第３読込手段を更に備えており、
前記設定手段は、前記一方の場合については、前記読込まれた好適照射状態情報に基づいて、前記好適照射状態を設定し、前記未記録である場合及び前記記録済みである場合のうち他方の場合については、（Ｉ）前記読込まれた好適照射状態情報及び（ＩＩ）前記他方についての好適照射状態と前記一方の場合について規定された好適照射状態との相対的な関係を示す関係情報に基づいて、前記好適照射状態を設定することを特徴とする請求の範囲第１項に記載の情報記録装置。
【請求項１０】
前記好適照射状態は、前記レーザ光に係る所定パラメータの値として示されており、
前記関係情報は、前記一方の場合における前記所定パラメータの値に対する、前記他方の場合における前記所定パラメータの値の比又は差を示す情報を含むことを特徴とする請求の範囲第９項に記載の情報記録装置。
【請求項１１】
前記関係情報は、前記好適照射状態情報と共に前記管理情報領域内に記録されていることを特徴とする請求の範囲第９項に記載の情報記録装置。
【請求項１２】
前記関係情報を格納する第２記憶手段を更に備えており、
前記設定手段は、前記他方の場合については、前記読込まれた好適照射状態情報及び前記記憶手段に格納されている関係情報に基づいて、前記好適照射状態を設定することを特徴とする請求の範囲第９項に記載の情報記録装置。
【請求項１３】
複数の記録層を備えた情報記録媒体に記録用のレーザ光を照射することによって情報を記録するための情報記録方法であって、
前記複数の記録層のうち、前記情報を記録する予定の一の記録層に対して好適である前記レーザ光の好適照射状態を、前記複数の記録層のうち他の記録層における記録状態別に設定する設定工程と、
該設定された好適照射状態で前記レーザ光を前記一の記録層に対して照射する照射工程と
を備えたことを特徴とする情報記録方法。
【請求項１４】
記録用のレーザ光を照射することによって情報を記録するための複数の記録層を備えており、
前記複数の記録層の少なくとも一つは、前記複数の記録層のうち、前記情報を記録する予定の一の記録層に対して好適である前記レーザ光の好適照射状態を、前記複数の記録層のうち他の記録層における記録状態別に規定する好適照射状態情報が記録される管理情報領域を有することを特徴とする情報記録媒体。
【請求項１５】
記録用のレーザ光を照射することによって情報を記録するための複数の記録層を備えており、
前記複数の記録層のうち前記情報を記録する予定の一の記録層に対して好適である前記レーザ光の好適照射状態を求めるために、前記複数の記録層のうち他の記録層に前記情報が記録されている第１試書領域と該他の記録層に前記情報が記録されていない第２試書領域とを有することを特徴とする情報記録媒体。
【発明の詳細な説明】
【技術分野】
【０００１】
本発明は、例えばＤＶＤレコーダ等の情報記録装置及び方法、並びにＤＶＤ等の情報記録媒体の技術分野に関する。
【背景技術】
【０００２】
この種の情報記録装置では、例えば、光ディスク等の情報記録媒体の記録層に応じて好適な、パルス幅、パルス強度、パルス形状、記録ストラテジ等（本願では適宜「好適照射状態」と称する）を有する記録用レーザ光によって、情報の記録を行なうように構成されている。【０００３】
ここで、特許文献１等に記載されているように、同一基板上に複数の記録層が積層されてなる多層型若しくはデュアルレイヤ又はマルチプルレイヤ型の光ディスク等の情報記録媒体も開発されている。情報記録装置は、このような多層型の情報記録媒体に対して規定された好適照射状態で、例えば先ずその最上層に位置する記録層に対して記録を行い、その後、その二層目に位置する記録層に対して記録を行うこととなる。【０００４】
【特許文献１】特開２０００−３１１３４６号公報
【発明の開示】
【発明が解決しようとする課題】
【０００５】
しかしながら、上述した多層型の情報記録媒体を記録する場合には、レーザ光の照射側から見て一番手前側に位置する一の記録層を除いた他の記録層については、少なくとも一の記録層や、それに付随した半透過反射膜、接着膜或いは中間膜等を介して、レーザ光が届くことになる。更に、ここで反射した光についても、一の記録層等を介して光ピックアップに検出されることになる。このため、該他の記録層については、それよりも手前側に位置する少なくとも一の記録層に情報が記録されているか否かに応じて、即ち、相変化や加熱などによる非可逆変化記録によって記録マークが光路中に存在しているか否かに応じて、該他の記録層を記録又は再生する際の光透過率、残存収差量、層間ダメージ等が異なる。従って、該他の記録層に対する好適照射状態は、それよりも手前側に位置する少なくとも一の記録層における記録状態に左右される。このように各記録層の好適照射状態において、それ以外の記録層における記録状態に起因して相違がある場合に、上述した背景技術の如く各情報記録媒体に対して或いは各記録層に対して最適な記録パルス幅等の好適照射状態を規定してしまうと、レーザ光の照射状態が常に最適或いは好適であるという訳にはいかないという技術的問題点がある。更に、上層側の記録層と下層側の記録層とで、積極的に好適照射状態に相違を持たせた方が有利となるような用途或いは仕様も考えられ得る。この場合にもやはり、上述した背景技術の如く各情報記録媒体に対して最適な記録パルス幅等の好適照射状態を規定してしまうと、レーザ光の照射状態が常に最適或いは好適であるという訳にはいかない。【０００６】
本発明は、例えば上述した従来の問題点に鑑みなされたものであり、例えば多層型の情報記録媒体における各記録層について、記録用のレーザ光を適切な照射状態としつつ情報の記録を行なうことを可能とならしめる情報記録装置及び方法、並びに多層型の情報記録媒体を提供することを課題とする。
【課題を解決するための手段】
【０００７】
本発明の請求項１に記載の情報記録装置は上記課題を解決するために、複数の記録層を備えた情報記録媒体に記録用のレーザ光を照射することによって情報を記録するための情報記録装置であって、前記複数の記録層のうち、前記情報を記録する予定の一の記録層に対して好適である前記レーザ光の好適照射状態を、前記複数の記録層のうち他の記録層における記録状態別に設定する設定手段と、該設定された好適照射状態で前記レーザ光を前記一の記録層に対して照射する照射手段とを備える。【０００８】
本発明の請求項１３に記載の情報記録方法は上記課題を解決するために、複数の記録層を備えた情報記録媒体に記録用のレーザ光を照射することによって情報を記録するための情報記録方法であって、前記複数の記録層のうち、前記情報を記録する予定の一の記録層に対して好適である前記レーザ光の好適照射状態を、前記複数の記録層のうち他の記録層における記録状態別に設定する設定工程と、該設定された好適照射状態で前記レーザ光を前記一の記録層に対して照射する照射工程とを備える。【０００９】
本発明の請求項１４に記載の情報記録媒体は上記課題を解決するために、記録用のレーザ光を照射することによって情報を記録するための複数の記録層を備えており、前記複数の記録層の少なくとも一つは、前記複数の記録層のうち、前記情報を記録する予定の一の記録層に対して好適である前記レーザ光の好適照射状態を、前記複数の記録層のうち他の記録層における記録状態別に規定する好適照射状態情報が記録される管理情報領域を有する。【００１０】
本発明の請求項１５に記載の情報記録媒体は上記課題を解決するために、記録用のレーザ光を照射することによって情報を記録するための複数の記録層を備えており、前記複数の記録層のうち前記情報を記録する予定の一の記録層に対して好適である前記レーザ光の好適照射状態を求めるために、前記複数の記録層のうち他の記録層に前記情報が記録されている第１試書領域と該他の記録層に前記情報が記録されていない第２試書領域とを有する。【００１１】
本発明の作用及び利得は次に説明する実施の形態から明らかにされる。
【図面の簡単な説明】
【００１２】
【図１】本発明の情報記録媒体の実施例に係る光ディスクの基本構造を示し、上側部分は複数の記録領域を有する光ディスクの概略平面図であり、これに対応付けられる下側部分は、その径方向における記録領域構造の図式的概念図である。
【図２】本発明の情報記録媒体の実施例に係る光ディスクの記録面における部分拡大斜視図である。
【図３】本発明の情報記録媒体の実施例に係る光ディスクのデータ構造の例を概念的に示すデータ構造図である。
【図４】本発明の情報記録媒体の実施例に係る光ディスクのＬ１層のリードインエリアに記録されるランドプリピットのデータの分類を示したテーブル図である。
【図５】本発明の情報記録媒体の実施例に係る光ディスクのＬ１層におけるランドプリピットのリードインエリアにおける配置及びＥＣＣブロックアドレスを示したテーブル図である。
【図６】本発明の情報記録装置の第１実施例に係る光ディスクのＬ０層が未記録である場合の記録用のレーザ光と光ディスクの関係を示す図式的概念図である。
【図７】本発明の情報記録装置の第１実施例に係る光ディスクのＬ０層が記録済みである場合の記録用のレーザ光と光ディスクの関係を示す図式的概念図である。
【図８】本発明の情報記録装置の第１実施例に係る好適照射状態の一具体例であるパルス強度を特徴とした記録パルスを示したグラフ図である。
【図９】本発明の情報記録装置の第１実施例に係る好適照射状態の他の一具体例であるパルス幅を特徴とした記録パルスを示したグラフ図である。
【図１０】本発明の情報記録装置の第１実施例に係る好適照射状態の他の一具体例であるパルス強度及びパルス幅を特徴とした記録パルスを示したグラフ図である。
【図１１】本発明の情報記録装置に係る第２実施例における光ディスクのＬ０層が未記録である場合の記録用のレーザ光と光ディスクの記録領域との関係を示す図式的概念図である。
【図１２】本発明の情報記録装置に係る第２実施例における光ディスクのＬ０層が記録済みである場合の記録用のレーザ光と光ディスクの記録領域との関係を示す図式的概念図である。
【図１３】本発明の情報記録装置に係る実施例における情報記録再生装置のブロック図である。
【図１４】本発明の情報記録装置に係る実施例において光ディスクの記録動作を示したフローチャート図である。
【符号の説明】
【００１３】
１          センターホール
１０        トラック
１１        ＥＣＣブロック
１００      光ディスク
１０１−０（１０１−１）  リードインエリア
１０１Ａ−０（１０１Ａ−１）  ＯＰＣエリア
１０１Ｂ−０（１０１Ｂ−１）  管理情報記録エリア
１０１Ｃ−０（１０１Ｃ−１）  未記録時好適情報
１０１Ｄ−０（１０１Ｄ−１）  比又は差分情報
１０２−０（１０２−１）  データゾーン
１０３−０（１０３−１）  リードアウトエリア
１０６      透明基板
１０７      第１記録層
１０９      ウォブル
１０８      半透過反射膜
２０５      中間層
２０７      第２記録層
２０８      反射膜
３００      情報記録再生装置
３０６      データ入出力制御手段
３０７      操作制御手段
３１０      操作ボタン
３１１      表示パネル
３５１      スピンドルモータ
３５２      光ピックアップ
３５３      信号記録再生手段
３５４      ＣＰＵ（ドライブ制御手段）
３５５      メモリ
ＧＴ        グルーブトラック
ＬＴ        ランドトラック
ＬＢ        レーザ光
ＬＰ        ランドプリピット
Ｌｗ１      第１記録パルス
Ｌｗ２      第２記録パルス
Ｔｃｌ      クーリングパルスの時間間隔
Ｔｍｐ      マルチパルスの時間間隔
Ｔｔｏｐ    トップパルスの時間間隔
【発明を実施するための最良の形態】
【００１４】
（情報記録装置の実施形態）
先ず、本発明の実施形態に係る情報記録装置について説明する。【００１５】
本発明の情報記録装置の実施形態は、複数の記録層を備えた情報記録媒体に記録用のレーザ光を照射することによって情報を記録するための情報記録装置であって、前記複数の記録層のうち、前記情報を記録する予定の一の記録層に対して好適である前記レーザ光の好適照射状態を、前記複数の記録層のうち他の記録層における記録状態別に設定する設定手段と、該設定された好適照射状態で前記レーザ光を前記一の記録層に対して照射する照射手段とを備える。【００１６】
本発明の情報記録装置によれば、基板の一方の面上に複数の記録層が積層された、即ち、例えば多層型若しくはデュアルレイヤ又はマルチプルレイヤ型の光ディスク等の多層型の情報記録媒体に、レーザ光を照射することによって情報を記録する。本実施形態では特に、例えばＣＰＵ（Central Processing Unit）等を含んでなる設定手段によって、情報を記録する予定の一の記録層（例えば、後述のＬ１層）に対して好適であるレーザ光の好適照射状態が、他の記録層（例えば、後述のＬ０層）における記録状態別に設定される。ここに「記録状態別に」とは、例えば記録済みの状態、未記録の状態、部分的に記録済みである状態、部分的に未記録である状態などを含む、一つ又は複数の記録層における複数の記録状態の存在を前提として、これらのうちいずれの記録状態に有るかに応じてという意味であり、典型的には、未記録であるか又は記録済みであるかの別にという意味である。例えば、一つの記録層について、未記録であるか又は記録済みであるかの組合せは、２通りであり、より一般にｎ（但し、ｎは２以上の自然数）個の記録層について、未記録であるか又は記録済みであるかの組合せは、２ｎ通りである。その後、半導体レーザ等を含んでなる照射手段によって、このように設定された好適照射状態で、レーザ光が、一の記録層（例えば、Ｌ１層）に対して照射される。この際、照射手段は、記録すべき情報に応じてレーザ光を変調させる。例えば、パルス幅変調、パルス強度変調等を行なう。この際、記録ストラテジについても、好ましくは最適化される。【００１７】
ここで特に、他の記録層がレーザ光の照射側から見て一の記録層の手前側に位置している場合（例えば、Ｌ０層である場合）には、一の記録層を記録する際の光透過率、残存収差量が、該他の記録層における記録状態別に異なる。或いは、他の記録層がレーザ光の照射側から見て一の記録層の奥側に位置している場合（例えば、Ｌ１層、Ｌ２層等である場合）には、層間ダメージ等の影響が、該他の記録層における記録状態別に異なる。従って、いずれにせよ、他の記録層の記録状態別に応じて、記録用のレーザ光に係るパルス幅、パルス強度、パルス形状、記録ストラテジ等の好適照射状態は、一般に異なる。【００１８】
しかるに、本実施形態では上述の如く設定手段によって、他の記録層の記録状態別に好適照射状態が設定されるので、他の記録層の記録状態がいずれであっても夫々、好適なレーザ光の照射状態を設定できる。前述した背景技術の如く、他の記録層における記録状態によらずに一義的に好適照射状態を規定する場合と比べて、他の記録層が或る記録状態にあると、極めて顕著な差を持って良好に情報の記録を行なえることになる。【００１９】
以上のように本実施形態によれば、レーザ光を照射する側から見て手前側に位置する記録層など、他の記録層における記録済み又は未記録などの記録状態の如何によらずに、好適照射状態にてレーザ光を照射できる。これにより多層型の情報記録媒体に対してその記録状態によらずに、情報の記録を良好に行なうことが可能となる。【００２０】
尚、通常は、情報の記録は、記録領域全体内で、或る広さを有する記録領域に対して行なわれるので、記録途中で、他の記録層における未記録又は記録済み等の記録状態に応じて好適照射状態を切替えてもよい。即ち、情報を記録する際には、設定手段により好適照射状態が適宜切替えられるように構成してもよい。他方、情報の記録は、記録領域全体内における部分的な記録領域に対して行なわれるので、他の記録層における記録又は未記録を、記録途中で或いは頻繁に判定して、その結果、好適照射状態を記録途中で或いは頻繁に切替えるように構成してもよい。【００２１】
本発明の情報記録装置の実施形態の一態様では、前記設定手段は、前記好適照射状態として、前記一の記録層に対して好適である前記レーザ光のパルス幅、パルス強度、パルス形状及び記録ストラテジのうち少なくとも一つを、設定する。【００２２】
この態様によれば、設定手段によって、一の記録層に対して好適であるパルス幅、パルス強度、パルス形状及び記録ストラテジのうち少なくとも一つが、他の記録層における記録状態別に設定される。従って、多層型の情報記録媒体に対してその記録状態によらずに、レーザ光を用いて良好な情報の記録を行える。【００２３】
本発明の情報記録装置の実施形態の他の態様では、前記記録状態別として、前記他の記録層が未記録であるか又は記録済みであるかの別を判別する判別手段を更に備えており、前記設定手段は、前記判別手段による判別結果に応じて、前記好適照射状態を設定する。【００２４】
この態様によれば、情報を記録する場合には先ず、例えばＣＰＵ、光ピックアップ等を含んでなる判別手段によって、他の記録層が未記録であるか又は記録済みであるかの別が判別される。続いて、その判別結果に応じて、設定手段によって、好適照射状態が設定される。従って、一の記録層に対して記録を行なう際には、他の記録層における記録状態の別を確実に判別でき、更に、これに基づいて、一の記録層に対して好適照射状態にあるレーザ光を用いて記録を行なえる。【００２５】
この判別手段に係る態様では、前記判別手段は、前記一の記録層に前記情報が記録されるのに先立って、前記他の記録層における記録領域をまとめて走査することで、所定の領域単位毎に、前記他の記録層が未記録であるか又は記録済みであるかの別を判別するように構成してもよい。【００２６】
このように構成すれば、判別手段によって他の記録層における記録領域がまとめて走査され、所定の領域単位毎に他の記録層が未記録であるか又は記録済みであるかの別が判別される。例えば、記録領域の全域に広がる複数個所に対して、アクセスが行なわれ、該アクセスされた各個所にて、他の記録層が未記録であるか又は記録済みであるかの別が判別される。この際、「領域単位」としては、次の一連の記録動作によって記録すべき情報の量に応じた大きさとされるのが好ましい。或いは、このような判別手段による判別動作を実行する頻度を考慮して、係る記録すべき情報の量に応じた大きさ以上でもよいし以下でもよい。各領域単位における未記録又は記録済みの判別は、例えば、各領域単位内における、未記録の面積と記録済みの面積との比率、未記録トラック数と記録済みのトラック数との比率等を検出し、これを所定基準（所定閾値）と比較して、“未記録（扱い）”と判別するか、“記録済み（扱い）”と判別する。この際の所定閾値は、一の記録層と他の記録層との間における層間距離に応じて可変に設定されてもよい。【００２７】
因みに、例えばＤＶＤ−Ｒであれば、情報を、記録領域におけるディスクの内周側から順番に書いて行くので、未記録領域は容易に特定可能である。【００２８】
上述の判別手段に係る態様では、前記判別手段は、前記他の記録層における記録領域について所定の領域単位毎に、前記他の記録層が未記録であるか又は記録済みであるかの別を示すテーブル情報を参照することで、前記他の記録層が未記録であるか又は記録済みであるかの別を前記所定の領域単位毎に判別するように構成してもよい。【００２９】
このように構成すれば、判別手段によって、テーブルが参照され、所定の領域単位毎に他の記録層が未記録であるか又は記録済みであるかの別が、容易且つ迅速に判別される。このようなテーブルは、情報記録装置側に設けられた記憶装置内に格納されていてもよいし、情報記録媒体における管理情報領域等内に記録されていてもよい。【００３０】
本発明の情報記録装置の実施形態の他の態様では、前記複数の記録層の少なくとも一つは、前記好適照射状態を、前記他の記録層における記録状態別に規定する好適照射状態情報が記録される管理情報領域を有し、前記管理情報領域から前記好適照射状態情報を読み込む第１読込手段を更に備えており、前記設定手段は、前記読込まれた好適照射状態情報に基づいて、前記好適照射状態を設定する。【００３１】
この態様によれば、複数の記録層の少なくとも一つには、例えばリードインエリアやその付近に設けられる、その管理情報領域に好適照射状態情報が記録されている。このような好適照射状態情報は、予めプリピット等のプリフォーマット情報として記録されてもよいし、設定手段による設定動作を経て別途生成された好適照射状態情報として記録されてもよい。情報記録装置の動作時には、先ず、例えば光ピックアップ等を含んでなる読込手段によって、係る好適照射状態情報が、管理情報領域から読込まれる。続いて、設定手段によって、このように読込まれた好適照射状態情報に基づいて、好適照射状態が設定される。【００３２】
或いは、本発明の情報記録装置の実施形態の他の態様では、前記他の記録層が未記録である未記録領域と前記他の記録層が記録済みである記録済領域との夫々で、試し書き用データを前記一の記録層に試し書きするように前記照射手段を制御する試し書き制御手段と、前記試し書きが行われた未記録領域及び記録済み領域における前記一の記録層から、前記試し書き用データを読み込む第２読込手段とを更に備えており、前記設定手段は、前記読み込まれた試し書き用データに基づいて、前記好適照射状態を設定する。【００３３】
この態様によれば、一の記録層に情報が記録されるのに先立って、試し書き制御手段による制御下で、他の記録層についての未記録領域と記録済領域との夫々で、試し書き用データが一の記録層に試し書きされる。例えば、所謂ＯＰＣ（Optimum Power Calibration）等が行なわれる。その後、試し書きが行われた未記録領域及び記録済み領域における一の記録層からは、読込手段によって、試し書き用データが読み込まれる。続いて、設定手段によって、このように読み込まれた試し書き用データに基づいて、好適照射状態が設定される。従って、試し書き用データに基づいて、実際の記録層の状態をリアルタイム的に反映した好適照射状態の設定が可能となる。【００３４】
この態様では、前記設定手段により設定された前記好適照射状態を示す好適照射状態情報を格納する第１記憶手段を更に備えてもよい。【００３５】
このように構成すれば、比較的時間及び処理負担がかかる試し書き処理を利用して得られた好適照射状態情報を当該情報記録装置側で保持しておくことで、その有効利用を図れる。【００３６】
但し、このように試し書き処理を利用して設定された好適照射状態情報を、前述の如き情報記録媒体における管理情報領域等に記録しておくように構成してもよい。【００３７】
或いは、本発明の情報記録装置の実施形態の他の態様では、前記複数の記録層の少なくとも一つは、前記好適照射状態を、前記他の記録層が未記録である場合及び記録済みである場合のうち一方の場合のみについて規定する好適照射状態情報が記録される管理情報領域を有し、前記管理情報領域から前記好適照射状態情報を読み込む第３読込手段を更に備えており、前記設定手段は、前記一方の場合については、前記読込まれた好適照射状態情報に基づいて、前記好適照射状態を設定し、前記未記録である場合及び前記記録済みである場合のうち他方の場合については、（Ｉ）前記読込まれた好適照射状態情報及び（ＩＩ）前記他方についての好適照射状態と前記一方の場合について規定された好適照射状態との相対的な関係を示す関係情報に基づいて、前記好適照射状態を設定する。【００３８】
この態様によれば、複数の記録層の少なくとも一つには、例えばリードインエリアやその付近に設けられる、その管理情報領域に好適照射状態情報が記録されている。このような好適照射状態情報は、他の記録層が未記録である場合及び記録済みである場合のうち一方の場合のみについて規定する。情報記録装置の動作時には、先ず、例えば光ピックアップ等を含んでなる読込手段によって、係る好適照射状態情報が、管理情報領域から読込まれる。続いて、設定手段によって、このように読込まれた好適照射状態情報と関係情報とに基づいて、好適照射状態が設定される。【００３９】
この関係情報に係る態様では、前記好適照射状態は、前記レーザ光に係る所定パラメータの値として示されており、前記関係情報は、前記一方の場合における前記所定パラメータの値に対する、前記他方の場合における前記所定パラメータの値の比又は差を示す情報を含むように構成してもよい。【００４０】
このように構成すれば、例えば、所定パラメータの値の一例として、他の記録層が未記録である場合のレーザ光のパルス幅Ｄ１であるとすれば、関係情報は、他の記録層が記録済みである場合のレーザ光のパルス幅Ｄ２として、比ｃ＝Ｄ２／D1や差Δ＝Ｄ２−D1などを表す情報となる。すると、他の記録層が記録済みである場合の好適照射状態たるレーザ光のパルス幅Ｄ２が未知であっても、Ｄ２＝ｃ×Ｄ１やＤ２＝Ｄ１＋Δなどとして、設定できる。【００４１】
上述の関係情報に係る態様では、前記関係情報は、前記好適照射状態情報と共に前記管理情報領域内に記録されているように構成してもよい。【００４２】
このように構成すれば、一の記録層へ情報を記録する際には、先ず、管理情報領域から好適照射状態情報と関係情報とを読み込めば、他の記録層が未記録の場合でも、記録済みの場合でも、好適照射状態を容易且つ迅速に設定可能となる。【００４３】
上述の関係情報に係る態様では、前記関係情報を格納する第２記憶手段を更に備えており、前記設定手段は、前記他方の場合については、前記読込まれた好適照射状態情報及び前記記憶手段に格納されている関係情報に基づいて、前記好適照射状態を設定するように構成してもよい。【００４４】
このように構成すれば、一の記録層へ情報を記録する際には、先ず、管理情報領域から読み込まれた好適照射状態情報と記憶手段から読み出される関係情報とによって、他の記録層が未記録の場合でも記録済みの場合でも、好適照射状態を容易且つ迅速に設定可能となる。【００４５】
（情報記録方法の実施形態）
次に、本発明の実施形態に係る情報記録方法について説明する。【００４６】
本発明の情報記録方法に係る実施形態は、複数の記録層を備えた情報記録媒体に記録用のレーザ光を照射することによって情報を記録するための情報記録方法であって、前記複数の記録層のうち、前記情報を記録する予定の一の記録層に対して好適である前記レーザ光の好適照射状態を、前記複数の記録層のうち他の記録層における記録状態別に設定する設定工程と、該設定された好適照射状態で前記レーザ光を前記一の記録層に対して照射する照射工程とを備える。【００４７】
本発明の情報記録方法に係る実施形態によれば、上述した本発明の情報記録装置の場合と同様に、レーザ光を照射する側から見て手前側に位置する記録層など、他の記録層における記録済み又は未記録などの記録状態の如何によらずに、好適照射状態にてレーザ光を照射できる。これにより多層型の情報記録媒体に対してその記録状態によらずに、情報の記録を良好に行なうことが可能となる。【００４８】
（情報記録媒体の実施形態）
次に、本発明の実施形態に係る情報記録媒体について説明する。【００４９】
本発明の情報記録媒体に係る第１実施形態は、記録用のレーザ光を照射することによって情報を記録するための複数の記録層を備えており、前記複数の記録層の少なくとも一つは、前記複数の記録層のうち、前記情報を記録する予定の一の記録層に対して好適である前記レーザ光の好適照射状態を、前記複数の記録層のうち他の記録層における記録状態別に規定する好適照射状態情報が記録される管理情報領域を有する。【００５０】
本発明の情報記録媒体に係る第１実施形態によれば、基板の一方の面上に積層された、即ち、例えば多層型若しくはデュアルレイヤ又はマルチプルレイヤ型の光ディスク等の多層型の情報記録媒体を構成する複数の記録層のうち、少なくとも一つは、例えばその内周寄りのリードインエリア内やその付近に管理情報領域を有する。この管理情報領域には、記録用のレーザ光の好適照射状態を、複数の記録層のうち他の記録層における記録状態別に規定する好適照射状態情報が記録される。この好適照射状態情報は、当該情報記録媒体の製造当初から記録されていてもよいし、その後の、プリフォーマット時或いはフォーマット時に記録されてもよい。或いは、情報の記録が行なわれる前には、デフォールトの値が管理情報領域に記録されていてその後に非デフォールト値で更新されてもよい。【００５１】
尚、好適照射状態情報は、好適照射状態を、直接的に規定してもよいし、例えば、一の照射状態（例えば、パルス幅）を基準とする係数で規定するなど、間接的に規定してもよい。【００５２】
このように好適照射状態情報が管理情報領域に記録されているので、例えば光ディスクレコーダ等の情報記録装置による、その記録時には、先ず、係る好適照射状態情報が読み込まれる。そして、この好適照射状態情報に基づけば、レーザ光を照射する側から見て手前側に位置する記録層など、他の記録層における記録済み又は未記録などの記録状態の如何によらずに、好適照射状態にてレーザ光を照射できる。これにより多層型の情報記録媒体に対してその記録状態によらずに、情報の記録を良好に行なうことが可能となる。【００５３】
本発明の情報記録媒体に係る第２実施形態は、記録用のレーザ光を照射することによって情報を記録するための複数の記録層を備えており、前記複数の記録層のうち前記情報を記録する予定の一の記録層に対して好適である前記レーザ光の好適照射状態を試し書きにより求めるために、前記複数の記録層のうち他の記録層に前記情報が記録されている第１試書領域と該他の記録層に前記情報が記録されていない第２試書領域とを有する。【００５４】
本発明の情報記録媒体に係る第２実施形態によれば、基板の一方の面上に積層された、即ち、例えば多層型若しくはデュアルレイヤ又はマルチプルレイヤ型の光ディスク等の多層型の情報記録媒体を構成する複数の記録層のうち一の記録層には、他の記録層に情報が記録されている第１試書領域と該他の記録層に前記情報が記録されていない第２試書領域とを有する。【００５５】
このように第１及び第２試書領域が設けられているので、例えば光ディスクレコーダ等の情報記録装置による、その記録時には、適宜、これら第１及び第２試書領域の両者に対して試し書きが行なわれる。例えば、ＯＰＣが行なわれる。すると、この試し書きの結果に基づけば、レーザ光を照射する側から見て手前側に位置する記録層など、他の記録層における記録済み又は未記録などの記録状態の如何によらずに、好適照射状態にてレーザ光を照射できる。これにより多層型の情報記録媒体に対してその記録状態によらずに、情報の記録を良好に行なうことが可能となる。【００５６】
本実施形態のこのような作用及び他の利得は次に説明する実施例から明らかにされる。【００５７】
以上説明したように、本発明の情報記録装置又は方法に係る実施形態によれば、設定手段又は方法と、照射手段又は方法とを備える。従って、多層型の情報記録媒体に対してその記録状態によらずに、情報の記録を良好に行なうことが可能となる。また、本発明の情報記録媒体に係る第１又は第２実施形態によれば、管理情報領域又は試書領域を備える。従って、多層型の情報記録媒体に対してその記録状態によらずに、情報の記録を良好に行なうことが可能となる。
【実施例】
【００５８】
（情報記録媒体の実施例）
次に図１から図５を参照して、本発明の情報記録媒体の実施例に係る光ディスクについて詳細に説明する。【００５９】
先ず図１を参照して、本実施例に係る光ディスクの基本構造について説明する。ここに図１は、本発明の情報記録媒体の実施例に係る光ディスクの基本構造を示し、上側部分は複数の記録領域を有する光ディスクの概略平面図であり、これに対応付けられる下側部分は、その径方向における記録領域構造の図式的概念図である。【００６０】
図１に示すように、光ディスク１００は、例えば、ＤＶＤと同じく直径１２ｃｍ程度のディスク本体上の記録面に、センターホール１を中心として内周側から外周側に向けて、本実施例に係るリードインエリア１０１、データゾーン１０２及びリードアウトエリア１０３が設けられている。そして、各記録領域には、例えば、センターホール１を中心にスパイラル状或いは同心円状に、例えば、グルーブトラック及びランドトラック等のトラック１０が交互に設けられている。また、このトラック１０上には、データがＥＣＣブロック１１という単位で分割されて記録される。ＥＣＣブロック１１は、記録情報がエラー訂正可能なプリフォーマットアドレスによるデータ管理単位である。【００６１】
尚、本発明は、このような三つのエリアを有する光ディスクには特に限定されない。例えば、リードインエリア１０１やリードアウトエリア１０３が存在せずとも、以下に説明するデータ構造等の構築は可能である。また、後述するように、リードインエリア１０１やリードアウト１０３は更に細分化された構成であってもよい。【００６２】
次に図２を参照して、本実施例に係る光ディスクの物理的構成について説明する。より具体的には、本実施例に係る光ディスク１００では、複数のデータゾーン１０２等が例えば積層構造に形成される２層型の光ディスクとして構成されている。ここに、図２は、本実施例の光ディスクの記録面における部分拡大斜視図である。【００６３】
図２において、本実施例では、光ディスク１００は、ディスク状の透明基板１０６上に（図２では下側に）、情報記録面を構成する相変化型又は加熱などによる非可逆変化記録型の第１記録層１０７が積層され、更にその上に（図２では下側）に、半透過反射膜１０８が積層されている。第１記録層１０７の表面からなる情報記録面には、グルーブトラックＧＴ及びランドトラックＬＴが交互に形成されている。尚、光ディスク１００の記録時及び再生時には、例えば図２に示したように、透明基板１０６を介してグルーブトラックＧＴ上に、レーザ光ＬＢが照射される。例えば、記録時には、記録レーザパワーでレーザ光ＬＢが照射されることで、記録データに応じて、第１記録層１０７への相変化による書き込み又は加熱などによる非可逆変化記録が実施される。他方、再生時には、記録レーザパワーよりも弱い再生レーザパワーでレーザ光ＬＢが照射されることで、第1記録層１０７へ書き込みされた記録データの読出しが実施される。【００６４】
本実施例では、グルーブトラックＧＴは、一定の振幅及び空間周波数で揺動されている。即ち、グルーブトラックＧＴは、ウォブリングされており、そのウォブル１０９の周期は所定値に設定されている。ランドトラックＬＴ上にはプリフォーマットアドレス情報を示すランドプリピットＬＰと呼ばれるアドレスピットが形成されている。この２つのアドレッシング（即ち、ウォブル１０９及びランドプリピットＬＰ）により記録中のディスク回転制御や記録クロックの生成、また記録アドレス等のデータ記録に必要な情報を得ることができる。尚、グルーブトラックＧＴのウォブル１０９を周波数変調や位相変調など所定の変調方式により変調することによりプリフォーマットアドレス情報を予め記録するようにしてもよい。【００６５】
本実施例では特に、半透過反射膜１０８上（図２では下側）に、第２記録層２０７が形成され、更にその上（図２では下側）に、反射膜２０８が形成されている。第２記録層２０７は、透明基板１０６、第１記録層１０７及び半透過反射膜１０８を介してレーザ光ＬＢが照射されることで、第１記録層１０７と概ね同様に、相変化型又は加熱などによる非可逆変化記録型の記録及び再生が可能なように構成されている。このような第２記録層２０７及び反射膜２０８については、第１記録層１０７及び半透過反射膜１０８等が形成された透明基板１０６上に成膜形成してもよいし、別基板上に成膜形成した後に、これを透明基板１０６に貼り合わせるようにしてもよい。尚、半透過反射膜１０８と第２記録層２０７との間には、製造方法に応じて適宜、透明接着剤等からなる透明な中間層２０５が設けられる。【００６６】
このような二層型の光ディスク１００の記録再生時には、レーザ光ＬＢの集光位置をいずれの記録層に合わせるかに応じて、第１記録層１０７における記録再生が行なわれるか又は第２記録層２０７における記録再生が行われる。【００６７】
尚、本実施例に係る光ディスク１００は、図２に示した如き、２層片面、即ち、デュアルレイヤーに限定されるものではなく、１層両面、即ちダブルサイド、又は、２層両面、即ちデュアルレイヤーダブルサイドであってもよい。更に、上述の如く２層の記録層を有する光ディスクに限られることなく、３層以上の多層型の光ディスクであってもよい。【００６８】
次に図３を参照して、本実施例に係る光ディスクについてのデータ構造をより詳細に説明する。ここに、図３は、本実施例に係る光ディスクのデータ構造の例を概念的に示すデータ構造図である。【００６９】
図３に示すように、光ディスク１００は、２層の記録層、即ち、Ｌ０層（即ち、図１及び図２における第１記録層１０７に相当する記録層）とＬ１層（即ち、図１及び図２における第２記録層２０７に相当する記録層）とを有している。【００７０】
Ｌ０層には、リードインエリア１０１−０、データゾーン１０２−０及びリードアウトエリア１０３−０が設けられている。そして、リードインエリア１０１−０には、更にＯＰＣ（Optimum Power Calibration）エリア１０１Ａ−０及び本発明に係る「管理情報領域」の一例を構成する管理情報記録エリア１０１Ｂ−０が設けられている。この管理情報記録エリア１０１Ｂ−０には、本発明に係る「好適照射状態情報」の一例を構成する、Ｌ０層が未記録の場合のＬ１層におけるレーザ光の好適照射状態を示す未記録時好適情報１０１Ｃ−０が記録されると共に、本発明に係る「関係情報」の一例を構成する、比又は差分情報１０１Ｄ−０が記録されている。但し、管理情報記録エリア１０１Ｂ−０には、比又は差分情報１０１Ｄ−０に代えて、Ｌ０層が記録済みの場合のＬ１層におけるレーザ光の好適照射状態を示す記録時好適情報が記録されていてもよい。尚、これらの未記録時好適情報１０１Ｃ−０及び比又は差分情報１０１Ｄ−０については後述される。【００７１】
他方、Ｌ１層にも、リードインエリア１０１−１、データゾーン１０２−１及びリードアウトエリア１０３−１が設けられている。そして、リードインエリア１０１−１には、更にＯＰＣエリア１０１Ａ−１及び管理情報記録エリア１０１Ｂ−１が設けられている。また、Ｌ０層と同様にして、管理情報記録エリア１０１Ｂ−１には、未記録時好適情報１０１Ｃ−１が記録されると共に、比又は差分情報１０１Ｄ−１（若しくは、記録時好適情報）が記録されていてもよい。【００７２】
ＯＰＣエリア１０１Ａ−０（１０１Ａ−１）は、最適な記録レーザパワーの検出（即ち、記録レーザパワーのキャリブレーション）処理に用いられる領域である。特に、ＯＰＣエリア１０１Ａ−０は、Ｌ０層の最適な記録レーザパワーの検出のために用いられ、またＯＰＣエリア１０１Ａ−１は、Ｌ１層の最適な記録レーザパワーの検出のために用いられることが好ましい。例えば、ＯＰＣパターンの試し書きの完了後には、試し書きされたＯＰＣパターンが再生され、再生されたＯＰＣパターンのサンプリングが順次行われて、最適な記録レーザパワーが検出される。また、ＯＰＣにより求めた最適な記録レーザパワーの値が記録されていてもよい。【００７３】
次に、図４を参照して、本実施例に係る光ディスクのＬ１層のリードインエリアに記録されるランドプリピットのデータの種類について説明する。ここに、図４は、本実施例に係る光ディスクのＬ１層のリードインエリアに記録されるランドプリピットのデータの分類を示したテーブル図である。尚、このテーブル図は、左側の列からフィールド識別番号（Field ID）、記録される情報（Content）及び記録場所（Location）を示す。【００７４】
図４に示されるように、本発明に係る「管理情報領域」の一例を構成するＬ１層のリードインエリアの一部に記録されるランドプリピットのデータは、フィールド識別番号（Field ID）によってＩＤ＃０からＩＤ＃１３に分類される。【００７５】
ＩＤ＃０によって識別されるランドプリピットには、ＥＣＣ（Error Correcting Code）ブロックアドレスの情報が記録される。このランドプリピットは、光ディスクの全記録領域において配置される。ここに、ＥＣＣブロックアドレスとは、誤り訂正が可能な記録単位、即ち、ＥＣＣブロックを基準とした位置情報である。【００７６】
ＩＤ＃１によって識別されるランドプリピットには、Ｌ１層を識別する拡張情報等の情報が記録される。このランドプリピットは、光ディスクのリードインエリアにおいて配置される。【００７７】
ＩＤ＃２によって識別されるランドプリピットには、本発明に係る好適照射状態情報の一例を構成するＬ０層が未記録である場合の１倍速用ストラテジ情報が記録される。このランドプリピットは、光ディスクのリードインエリアにおいて配置される。【００７８】
ＩＤ＃３及びＩＤ＃４によって識別されるランドプリピットには、光ディスクを識別する製造識別番号の情報が記録される。これらのランドプリピットは、光ディスクのリードインエリアにおいて配置される。【００７９】
ＩＤ＃５によって識別されるランドプリピットには、本発明に係る好適照射状態情報の一例を構成するＬ０層が記録済みである場合の１倍速用ストラテジ情報が記録される。このランドプリピットは、光ディスクのリードインエリアにおいて配置される。【００８０】
ＩＤ＃６によって識別されるランドプリピットには、本発明に係る好適照射状態情報の一例を構成するＬ０層が未記録である場合の２倍速用ストラテジ情報が記録される。このランドプリピットは、光ディスクのリードインエリアにおいて配置される。【００８１】
ＩＤ＃７によって識別されるランドプリピットには、本発明に係る好適照射状態情報の一例を構成するＬ０層が記録済みである場合の２倍速用ストラテジ情報が記録される。このランドプリピットは、光ディスクのリードインエリアにおいて配置される。【００８２】
ＩＤ＃８からＩＤ＃１０によって識別されるランドプリピットには、本発明に係る好適照射状態情報の一例を構成するＬ０層が未記録である場合の４倍速用ストラテジ情報が記録される。これらのランドプリピットは、光ディスクのリードインエリアにおいて配置される。【００８３】
ＩＤ＃１１からＩＤ＃１３によって識別されるランドプリピットには、本発明に係る好適照射状態情報の一例を構成するＬ０層が記録済みである場合の４倍速用ストラテジ情報が記録される。これらのランドプリピットは、光ディスクのリードインエリアにおいて配置される。【００８４】
次に、図５を参照して、本実施例に係る光ディスクのＬ１層におけるランドプリピットのリードインエリアにおける配置について説明する。ここに、図５は、本実施例に係る光ディスクのＬ１層におけるランドプリピットのリードインエリアにおける配置及びＥＣＣブロックアドレスを示したテーブル図である。尚、このテーブル図は、左側の列からフィールド識別番号（Field ID）、記録場所（Location）及びＥＣＣブロックアドレス（ECC block address）を示す。【００８５】
図5に示されるように、図４において説明したＩＤ＃１からＩＤ＃１３若しくはＩＤ＃０のフィールド識別番号によって識別されるランドプリピットが、Ｌ1層のリードインエリアにおいて、周期的に記録されている。これらのランドプリピットは、例えば１６進数で表現される「ＦＦＤＤ０５」から「ＦＦＣＦＦＦ」までのＥＣＣブロックアドレスに配置されている。【００８６】
（情報記録装置の第１実施例）
次に、図６から図１０を参照して、本発明の情報記録装置に係る第１実施例について説明する。【００８７】
先ず、図６及び図７を参照して、本発明の情報記録装置に係る第１実施例において好適照射状態が設定される基本原理について説明する。ここに、図６及び図７は、本発明の情報記録装置の第１実施例に係る光ディスクのＬ０層が未記録である場合及び記録済みである場合の記録用のレーザ光と光ディスクの関係を示す図式的概念図である。【００８８】
図６及び図７に示すように、本実施例に係る光ディスク１００は、図２に示した第１記録層１０７としてＬ０層を含んでなり且つ第２記録層としてＬ１層を含んでなる。そして、情報記録装置の図示しない光ピックアップによって、記録用のレーザ光は、図示しない基板の側から、即ち、図６及び図７中の下側から上側に向けて照射され、その焦点距離等が制御されると共に、光ディスクの半径方向における移動距離及び方向が制御される。このことにより、夫々の記録層にデータを記録し、また情報再生装置として機能する場合には記録されたデータを再生する。【００８９】
図６に示すように、Ｌ０層が、未記録の状態である場合には、本発明に係る「設定手段」の一例を構成する例えば、ＣＰＵ、ＬＤドライバ及び光ピックアップ等の走査によって、Ｌ０層における未記録の状態が検出されると共に、本発明に係る「好適照射状態」の一例を規定する第１記録パルスがデータの記録に際して設定される。第１記録パルスの詳細については、後述される。【００９０】
図７に示すように、Ｌ０層が、記録済みの状態である場合には、例えば、ＣＰＵ、ＬＤドライバ及び光ピックアップ等の走査によって、Ｌ０層における記録済みの状態が検出されると共に、本発明に係る「好適照射状態」の他の一例を規定する第２記録パルスがデータの記録に際して設定される。第２記録パルスの詳細については、後述される。【００９１】
図６及び図７から分かるように、Ｌ１層に照射されるレーザ光の光路に位置するＬ０層部分の透過率が、Ｌ０層が記録済みであるが故に低下していると（図７参照）、Ｌ１層に至る光やＬ１層から検出される光の光量は、減少する。即ち、相対的には、Ｌ１層に照射されるレーザ光の光路に位置するＬ０層部分の透過率が、Ｌ０層が未記録であるが故に低下していないと（図６参照）、Ｌ１層に至る光やＬ１層から検出される光の光量は増大する。従って、本実施例は、次に説明するように、このようなＬ０層の記録又は未記録に応じたＬ１層に至る光量の増減を、基本的にレーザ光の光源側にて補償しようとするものである。【００９２】
次に図８から図１０を参照して、本発明の情報記録装置の第１実施例に係る好適照射状態の具体例について説明する。【００９３】
第１実施例では特に、図３から図５に例示した如き好適照射状態情報が、光ディスク１００側に記録されている必要は無く、本実施例に係る情報記録装置側に設けられたメモリ内に格納されており、必要に応じて適宜読み出されて、好適照射状態の設定に用いられる。尚、このような好適照射状態情報は、情報記録装置により光ディスク１００に対するＯＰＣ処理を行なうことによって取得されたものを、例えば光ディスク１００のディスク識別番号に対応つける形で、情報記録装置側に設けられたメモリ内に格納してもよい。或いは、図３から図５に例示した如き光ディスク１００側に記録された好適照射状態情報を読み出して、情報記録装置側に設けられたメモリ内に格納してもよい。【００９４】
先ず、図８を参照して、本発明の情報記録装置の第１実施例に係る好適照射状態の一具体例であるパルス強度を特徴としたパルス状のレーザ（以下、「記録パルス」と称す。）について説明する。ここに、図８は本発明の情報記録装置の第１実施例に係る好適照射状態の一具体例であるパルス強度を特徴とした記録パルスを示したグラフ図であり、その縦軸は、記録パルスの強度（パワー）を示し、その横軸は時間を示す。【００９５】
図８に示されるように、記録パルスは、最初のトップパルスｔｏｐ、照射時間を短く分割した複数のマルチパルスｍｐ及びクーリングパルスｃｌより構成されている。尚、トップパルスｔｏｐが照射されている時間間隔をＴｔｏｐ、マルチパルスｍｐが照射されている時間間隔をＴｍｐ、及び、クーリングパルスｃｌが照射されている時間間隔をＴｃｌと定義する。【００９６】
図８に示されるように、好適照射状態は、Ｌ１層の記録に際して、ＣＰＵ等の制御下で、Ｌ０層が未記録の状態から記録済みの状態へ変化するのが判別されて、例えば、第１記録パルスＬｗ１から、第２記録パルスＬｗ２へと設定が切り換えられている。【００９７】
より具体的には、先ず、第１記録パルスＬｗ１において、トップパルスｔｏｐ及びマルチパルスｍｐは、例えば、８．０（ｍＷ）の記録用レーザのパワーに設定されている。【００９８】
次に、第２記録パルスＬｗ２において、マルチパルスｍｐは、例えば、１２．０（ｍＷ）の記録用レーザのパワーに設定が切り換えられている。このようにパルス強度を高めることにより、Ｌ０層が記録済みの状態であることによって、光透過率の低下等の影響をなくすことが可能となる。【００９９】
尚、これらの記録用レーザのパワーで照射されていない時間間隔、即ち、休止期間では、例えば、０．６（ｍＷ）という消去用レーザのパワーより小さいバイアス用レーザのパワーに設定されている。クーリングパルスｃｌは、記録パルスの最後に設けられ、休止期間と同様に、バイアス用レーザのパワーに設定されている。また、マルチパルスｍｐが照射される時間間隔Ｔｍｐは等間隔に設定されている。【０１００】
以上のように、ＣＰＵ等の制御下で、Ｌ１層の記録に際して、Ｌ０層の記録状態に応じて、パルス強度及び記録ストラテジ等の好適照射状態が設定されることで、光透過率の低下等の影響をなくすことが可能となる。【０１０１】
次に、図９を参照して、本発明の情報記録装置の第１実施例に係る好適照射状態の他の一具体例であるパルス幅を特徴とした記録パルスについて説明する。ここに、図９は本発明の情報記録装置の第１実施例に係る好適照射状態の他の一具体例であるパルス幅を特徴とした記録パルスを示したグラフ図であり、その縦軸と横軸は前述した図８の説明と同様である。また、トップパルスｔｏｐ、マルチパルスｍｐ及びクーリングパルスｃｌ等の定義も図８の説明と同様である。【０１０２】
図９に示されるように、好適照射状態は、Ｌ１層の記録に際して、ＣＰＵ等の制御下で、Ｌ０層が未記録の状態から記録済みの状態へ変化するのが判別されて、例えば、第１記録パルスＬｗ１から、第２記録パルスＬｗ２へと設定が切り換えられている。【０１０３】
より具体的には、先ず、第１記録パルスＬｗ１において、トップパルスｔｏｐ及びマルチパルスｍｐは、例えば、８．０（ｍＷ）の記録用レーザのパワーに設定されると共に、パルス幅が小さくなるように設定されている。【０１０４】
次に、第２記録パルスＬｗ２において、マルチパルスｍｐが照射される時間間隔Ｔｍｐが大きくなるように、即ち、パルス幅が大きくなるように設定が切り換えられている。尚、マルチパルスｍｐの強度は、第１記録パルスＬｗ１と同様に、例えば、８．０（ｍＷ）の強度でもよい。【０１０５】
以上のように、ＣＰＵ等の制御下で、Ｌ１層の記録に際して、Ｌ０層の記録状態に応じて、パルス幅及び記録ストラテジ等の好適照射状態が設定されることで、光透過率の低下等の影響をなくすことが可能となる。【０１０６】
次に、図１０を参照して、本発明の情報記録装置の第１実施例に係る好適照射状態の他の一具体例であるパルス強度及びパルス幅を特徴とした記録パルスについて説明する。ここに、図１０は本発明の情報記録装置の第１実施例に係る好適照射状態の他の一具体例であるパルス強度及びパルス幅を特徴とした記録パルスを示したグラフ図であり、その縦軸と横軸は前述した図８の説明と同様である。また、トップパルスｔｏｐ、マルチパルスｍｐ及びクーリングパルスｃｌ等の定義も図８の説明と同様である。【０１０７】
図１０に示されるように、好適照射状態は、Ｌ１層の記録に際して、ＣＰＵ等の制御下で、Ｌ０層が未記録の状態から記録済みの状態へ徐々に変化するのが判別されて、例えば、第１記録パルスから、第２記録パルスへと設定が段階的に切り換えられている。【０１０８】
より具体的には、先ず、第１記録パルスＬｗ１において、トップパルスｔｏｐ及びマルチパルスｍｐは、例えば、８．０（ｍＷ）の記録用レーザのパワーに設定されると共に、パルス幅が小さくなるように設定されている。【０１０９】
次に、第２記録パルスＬｗ２において、マルチパルスｍｐは、例えば、記録用レーザのパワーが段階的に高められ、即ち、パルス強度が段階的に高められるように設定が切り換えられている。それと同時に、マルチパルスｍｐが照射される時間間隔Ｔｍｐが段階的に大きくなるように、即ち、パルス幅が段階的に大きくなるように設定が切り換えられている。【０１１０】
以上のように、ＣＰＵ等の制御下で、Ｌ１層の記録に際して、Ｌ０層の記録状態に応じて、パルス強度、パルス幅、パルス形状及び記録ストラテジ等の好適照射状態が設定されることで、光透過率の低下等の影響をなくすことが可能となる。【０１１１】
（情報記録装置の第２実施例）
次に、図１１及び図１２を参照して、本発明の情報記録装置に係る第２実施例について説明する。ここに、図１１及び図１２は、本発明の情報記録装置に係る第２実施例における光ディスクのＬ０層が未記録である場合及び記録済みである場合の記録用のレーザ光と光ディスクの記録領域との関係を示す図式的概念図である。【０１１２】
情報記録装置の第２実施例において好適照射状態が設定される基本原理については前述した図６から図１０を参照して説明した本発明の情報記録装置に係る第１実施例と同様である。【０１１３】
第２実施例では特に、図３から図５に例示した如き好適照射状態情報が、光ディスク１００側に記録されており、必要に応じて適宜読み出されて、好適照射状態の設定に用いられる。尚、このような好適照射状態情報は、光ディスク１００の情報記録装置へのロード後に、読み出されて、情報記録装置側に設けられたメモリ内に格納され、その後は、該メモリから適宜読み出されてもよい。【０１１４】
図１１で示されるように、情報記録装置の第２実施例においては、光ディスク１００が充填されると、ＣＰＵ等の制御下で、光ピックアップ等によりシーク動作が行われ、光ディスク１００への記録動作に必要な各種管理情報が取得される。より具体的には、管理情報記録エリア１０１Ｂ−０に記録されている本発明に係る「好適照射状態情報」の一例を構成する、Ｌ０層が未記録の場合のＬ１層における未記録時好適情報１０１Ｃ−０が取得されると共に、本発明に係る「関係情報」の一例を構成する、比又は差分情報１０１Ｄ−０が取得される。ここに、比又は差分情報１０１Ｄ−０とは、未記録時好適情報１０１Ｃ−０とＬ０層が記録されていた場合のＬ１層における好適照射状態情報との比又は差を表した数値情報である。尚、これらの未記録時好適情報１０１Ｃ−０及び比又は差分情報１０１Ｄ−０は、Ｌ１層に記録されていてもよい。【０１１５】
以上より、Ｌ０層が未記録の状態の場合には、未記録時好適情報１０１Ｃ−０に基づいて好適照射状態が設定される。例えば、パルス強度が１０．０（ｍＷ）の第１記録パルスＬｗ１がＬ１層へ照射される。【０１１６】
他方、図１２で示されるように、Ｌ０層が記録済みの状態の場合には、未記録時好適情報１０１Ｃ−０に比又は差分情報１０１Ｄ−０が乗算又は和算されることにより、Ｌ０層が記録されていた場合のＬ１層における好適照射状態情報が計算されて、好適照射状態が設定される。例えば、比又は差分情報１０１Ｄ−０が「１．２」又は「２．０（ｍＷ）」である場合には、前述した未記録時好適情報１０１Ｃ−０に基づいて設定されたパルス強度が１０．０（ｍＷ）の値に比又は差分情報１０１Ｄ−０が乗算又は和算されて、即ち、１０．０（ｍＷ）×１．２＝１２．０（ｍＷ）又は、１０．０（ｍＷ）＋２．０（ｍＷ）＝１２．０（ｍＷ）となる。【０１１７】
以上より、Ｌ０層が記録済みの状態の場合には、未記録時好適情報１０１Ｃ−０及び比又は差分情報１０１Ｄ−０に基づいて好適照射状態が設定される。例えば、パルス強度が１２．０（ｍＷ）の第２記録パルスＬｗ２がＬ１層へ照射される。【０１１８】
（情報記録再生装置）
次に図１３を参照して、本発明の情報記録装置の構成及び動作について説明する。特に、本実施例は、本発明に係る情報記録装置を前述した光ディスク用の情報記録再生装置に適用した例である。【０１１９】
先ず、図１３を参照して、本発明の情報記録装置に係る実施例における情報記録再生装置３００の構成について説明する。ここに、図１３は、本発明の情報記録装置に係る実施例における情報記録再生装置３００のブロック図である。尚、情報記録再生装置３００は、光ディスク１００に記録データを記録する機能と、光ディスク１００に記録された記録データを再生する機能とを備える。【０１２０】
図１３を参照して情報記録再生装置３００の内部構成を説明する。情報記録再生装置３００は、ＣＰＵ３５４の制御下で、光ディスク１００に情報を記録すると共に、光ディスク１００に記録された情報を読み取る装置である。【０１２１】
情報記録再生装置３００は、光ディスク１００、スピンドルモータ３５１、光ピックアップ３５２、信号記録再生手段３５３、ＣＰＵ（ドライブ制御手段）３５４、メモリ３５５、データ入出力制御手段３０６、操作ボタン３１０、表示パネル３１１、及びバス３５７により構成されている。【０１２２】
スピンドルモータ３５１は光ディスク１００を回転及び停止させるもので、光ディスクへのアクセス時に動作する。より詳細には、スピンドルモータ３５１は、図示しないサーボユニット等によりスピンドルサーボを受けつつ所定速度で光ディスク１００を回転及び停止させるように構成されている。【０１２３】
光ピックアップ３５２は光ディスク１００への記録再生を行うもので、レーザー装置とレンズから構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。特に、光ピックアップ３５２は、本発明の「照射手段」の一例を構成する。【０１２４】
信号記録再生手段３５３は、スピンドルモータ３５１と光ピックアップ３５２を制御することで光ディスク１００に対して記録再生を行う。より具体的には、信号記録再生手段３５３は、例えば、レーザダイオード（ＬＤ）ドライバ及びヘッドアンプ等によって構成されている。レーザダイオード（ＬＤ）ドライバは、光ピックアップ３５２内に設けられた図示しない半導体レーザを駆動する。ヘッドアンプは、光ピックアップ３５２の出力信号、即ち、光ビームの反射光を増幅し、該増幅した信号を出力する。【０１２５】
特に本実施例では、信号記録再生手段３５３は、ＣＰＵ３５４等と共に、例えば、Ｌ１層の記録に際して、Ｌ０層の記録状態に応じて、パルス強度、パルス幅、パルス形状及び記録ストラテジ等の好適照射状態を設定する。【０１２６】
メモリ３５５は、記録再生データのバッファ領域や、信号記録再生手段３５３で使用出来るデータに変換する時の中間バッファとして使用される領域など情報記録再生装置３００におけるデータ処理全般において使用される。また、メモリ３５５はこれらレコーダ機器としての動作を行うためのプログラムが格納されるＲＯＭ領域と、映像データの圧縮伸張で用いるバッファやプログラム動作に必要な変数が格納されるＲＡＭ領域などから構成される。【０１２７】
特に、本実施例では、メモリ３５５は、本発明に係る「記憶手段」の一例を構成し、このメモリ３５５において、本発明に係る「好適照射状態情報」、「関係情報」又は「テーブル情報」等が格納される。【０１２８】
ＣＰＵ（ドライブ制御手段）３５４は、信号記録再生手段３５３、メモリ３５５と、バス３５７を介して接続され、各制御手段に指示を行うことで、情報記録再生装置３００全体の制御を行う。通常、ＣＰＵ３５４が動作するためのソフトウェアは、メモリ３５５に格納されている。特に、ＣＰＵ３５４は、本発明に係る「設定手段」や「判別手段」等の一例を構成する。【０１２９】
データ入出力制御手段３０６は、情報記録再生装置３００に対する外部からデータ入出力を制御し、メモリ３５５上のデータバッファへの格納及び取り出しを行う。データの入出力が映像信号である場合には、データ入力時には外部から受け取ったデータをＭＰＥＧフォーマットに圧縮（エンコード）してからメモリ３５５へ出力し、データ出力時には、メモリ３５５から受け取ったＭＰＥＧフォーマットのデータを伸張（デコード）してから外部へ出力する。【０１３０】
操作制御手段３０７は情報記録再生装置３００に対する動作指示受付と表示を行うもので、記録又は再生といった操作ボタン３１０による指示をＣＰＵ３５４に伝え、記録中や再生中といった情報記録再生装置３００の動作状態を蛍光管などの表示パネル３１１に出力する。【０１３１】
このように、情報記録再生装置３００の一例である、家庭用機器では映像を記録再生するレコーダ機器である。このレコーダ機器は放送受信チューナや外部接続端子からの映像信号をディスクに記録し、テレビなど外部表示機器にディスクから再生した映像信号を出力する機器である。メモリ３５５に格納されたプログラムをＣＰＵ３５４で実行させることでレコーダ機器としての動作を行っている。【０１３２】
（情報記録装置による記録動作の流れ）
次に図１４を参照して、本発明の情報記録装置に係る実施例において光ディスクの記録動作の流れについて詳細に説明する。ここに、図１４は本発明の情報記録装置に係る実施例において光ディスクの記録動作を示したフローチャート図である。【０１３３】
図１４において、先ず光ディスク１００が装填されると、ＣＰＵ３５４の制御下で、光ピックアップ３５２によりシーク動作が行われ、光ディスク１００への記録処理に必要な各種管理情報が取得される。この管理情報に基づいて、ＣＰＵ３５４の制御により、例えば外部入力機器等からの指示に応じて、データ入出力制御手段３０６を介して光ディスク１００のＬ１層へのデータの記録動作が開始される（ステップＳ１０１）。【０１３４】
続いて、Ｌ１層の記録開始位置、例えば、セクタ番号等による物理アドレスに基づく記録開始位置へ光ピックアップ３５２は半径方向に移動される（ステップＳ１０２）。【０１３５】
続いて、光ピックアップ３５２は、Ｌ１層の記録開始位置における半径位置を維持したままで、Ｌ０層に焦点を合わせる（ステップＳ１０３）。【０１３６】
続いて、Ｌ０層において、Ｌ１層の記録終了予定位置と同じ半径位置まで走査、即ち、スキャンされ、Ｌ０層における本発明に係る「所定の領域単位」の一例である、例えば、セクタ番号等による物理アドレス単位ごとに、記録済みであるか又は未記録であるかが検出されると共に、本発明に係る「記憶手段」の一例を構成するメモリ３５５等に格納される（ステップＳ１０４）。特に本実施例では、本発明に係る「テーブル情報」の一例を構成するスペースビットマップ情報等が一括してメモリ３５５等に格納されてもよい。【０１３７】
続いて、光ピックアップ３５２は、Ｌ１層へ焦点が合わされる共に、前述したＬ１層の記録開始位置へ半径方向に移動される（ステップＳ１０５）。【０１３８】
次に、ＣＰＵ３５４等によって、Ｌ１層における記録位置と同じ半径位置のＬ０層において記録済みであるか又は未記録であるかが判別される（ステップＳ１０６）。ここで、記録済みでない場合、即ち、未記録である場合には（ステップＳ１０６：Ｎｏ）、例えば、第１記録パルスが好適照射状態として設定される（ステップＳ１０７）。この場合、光ディスク１００の管理情報記録エリア１０１Ｂ−０（図３、図１１等参照）から読み出される未記録時好適情報に基づいて、好適照射状態の第１記録パルスが設定される。或いは、メモリ３５５から読み出される未記録時好適情報に基づいて、好適照射状態の第１記録パルスが設定される。【０１３９】
他方、記録済みである場合には（ステップＳ１０６：Ｙｅｓ）、例えば、第２記録パルスが好適照射状態として設定される（ステップＳ１０８）。この場合、光ディスク１００の管理情報記録エリア１０１Ｂ−０（図３、図１１等参照）から読み出される未記録時好適情報と比又は差分情報とに基づいて、好適照射状態の第２記録パルスが設定される。或いは、メモリ３５５から読み出される未記録時好適情報と比又は差分情報とに基づいて、好適照射状態の第２記録パルスが設定される。【０１４０】
続いて、設定された好適照射状態に基づいて、光ピックアップ３５２等によって、Ｌ１層において、実際の記録動作が開始される（ステップＳ１０９）。【０１４１】
次に、Ｌ１層の記録終了予定位置か否かが判定される（ステップＳ１１０）。ここで、記録終了予定位置でない場合（ステップＳ１１０：Ｎｏ）、ステップＳ１０６に戻り、Ｌ０層の記録状態別に好適照射状態が設定されて記録動作が継続される。【０１４２】
他方、記録終了予定位置である場合（ステップＳ１１０：Ｙｅｓ）、Ｌ１層における一連の記録動作は終了される。【０１４３】
本発明は、上述した実施例に限られるものではなく、請求の範囲及び明細書全体から読み取れる発明の要旨或いは思想に反しない範囲で適宜変更可能であり、そのような変更を伴なう情報記録装置及び方法並びに情報記録媒体もまた本発明の技術的範囲に含まれるものである。
【産業上の利用可能性】
【０１４４】
本発明に係る情報記録装置及び方法、並びに情報記録媒体は、例えば、民生用或いは業務用の、各種情報を高密度に記録可能な多層型光ディスクに利用可能であり、更に光ディスクに係るレコーダ又はプレーヤ等に利用可能である。また、例えば民生用或いは業務用の各種コンピュータ機器に搭載される又は各種コンピュータ機器に接続可能な、情報記録媒体、情報記録装置等にも利用可能である。
【図１】
2005031718.tif 000003
【図２】
2005031718.tif 000004
【図３】
2005031718.tif 000005
【図４】
2005031718.tif 000006
【図５】
2005031718.tif 000007
【図６】
2005031718.tif 000008
【図７】
2005031718.tif 000009
【図８】
2005031718.tif 000010
【図９】
2005031718.tif 000011
【図１０】
2005031718.tif 000012
【図１１】
2005031718.tif 000013
【図１２】
2005031718.tif 000014
【図１３】
2005031718.tif 000015
【図１４】
2005031718.tif 000016
【手続補正書】
【提出日】平成18年3月30日(2006.3.30)
【手続補正１】
【補正対象書類名】特許請求の範囲
【補正対象項目名】全文
【補正方法】変更
【補正の内容】
【特許請求の範囲】
【請求項１】
（i）記録用のレーザ光の照射側から第１の記録層、第２の記録層の順に記録層を備えており、（ii）前記第１の記録層の未記録領域を通過する前記第２の記録層における前記レーザ光の第１の記録パワーと、前記第１の記録層の記録済領域を通過する前記第２の記録層における前記レーザ光の第２の記録パワーとの比を示す比情報が記録された管理情報領域、及び（iii）前記第１の記録パワー又は前記第２の記録パワーの値を示す記録パワー値情報が記録された記録パワー管理領域を有する情報記録媒体に、前記レーザ光を照射することによって情報を記録するための情報記録装置であって、
前記管理情報領域に記録された前記比情報、及び、前記記録パワー領域に記録された前記記録パワー値情報を読み取る読取手段と、
前記読取手段で読み取られた前記比情報、及び、前記記録パワー値情報に基づいて前記レーザ光の記録パワーを設定する設定手段と、
前記レーザ光を前記設定手段により設定された記録パワーで前記第２の記録層に照射する照射手段と
を備えたことを特徴とする情報記録装置。
【請求項２】
前記第１の記録層が未記録であるか又は記録済みであるかを判別する判別手段を更に備えており、
前記設定手段は、前記判別手段による判別結果に応じて、前記記録パワーを設定することを特徴とする請求項１に記載の情報記録装置。
【請求項３】
前記判別手段は、前記第１の記録層における記録領域をまとめて走査することで、所定の領域単位毎に、前記第１の記録層が未記録であるか又は記録済みであるかを判別することを特徴とする請求項２に記載の情報記録装置。
【請求項４】
前記判別手段は、前記第１の記録層における記録領域について所定の領域単位毎に、前記第１の記録層が未記録であるか又は記録済みであるかの別を示すテーブル情報を参照することで、前記第１の記録層が未記録であるか又は記録済みであるかを前記所定の領域単位毎に判別することを特徴とする請求項２に記載の情報記録装置。
【請求項５】
（i）記録用のレーザ光の照射側から第１の記録層、第２の記録層の順に記録層を備えており、（ii）前記第１の記録層の未記録領域を通過する前記第２の記録層における前記レーザ光の第１の記録パワーと、前記第１の記録層の記録済領域を通過する前記第２の記録層における前記レーザ光の第２の記録パワーとの比を示す比情報が記録された管理情報領域、及び（iii）前記第１の記録パワー又は前記第２の記録パワーの値を示す記録パワー値情報が記録された記録パワー管理領域を有する情報記録媒体に、前記レーザ光を照射することによって情報を記録するための情報記録方法であって、
前記管理情報領域に記録された前記比情報、及び、前記記録パワー領域に記録された前記記録パワー値情報を読み取る読取工程と、
前記読取工程で読み取られた前記比情報、及び、前記記録パワー値情報に基づいて前記レーザ光の記録パワーを設定する設定工程と、
前記レーザ光を前記設定工程により設定された記録パワーで前記第２の記録層に照射する照射工程と
を備えたことを特徴とする情報記録方法。
【請求項６】
記録用のレーザ光の照射側から第１の記録層、第２の記録層の順に記録層を備えており、
前記第１の記録層の未記録領域を通過する前記第２の記録層における前記レーザ光の記録パワーと、前記第１の記録層の記録済領域を通過する前記第２の記録層における前記レーザ光の記録パワーとの比を示す比情報が記録される管理情報領域を有することを特徴とする情報記録媒体。
【請求項７】
前記記録パワーは、パルス強度であることを特徴とする請求項６に記載の情報記録媒体。
【請求項８】
前記管理情報領域は、リードインエリア内にあることを特徴とする請求項６又は７に記載の情報記録媒体。
【請求項９】
前記比情報は、プリフォーマット情報として予め記録されていることを特徴とする請求項６から８のうちいずれか一項に記載の情報記録媒体。
【国際調査報告】
2005031718.tif 000017
2005031718.tif 000018
2005031718.tif 000019
2005031718.tif 000020
2005031718.tif 000021
2005031718.tif 000022
2005031718.tif 000023